(57)【要約】  【課題】庇パネルを建物の壁面に支持させて取り付けるようにした庇の取付け構造において、十分な支持強度が確保できるとともに、精度誤差等による問題を解消して設置を容易化し、かつ庇パネルの両側縁部を支持する構造部分を極力露出させないようにする。  【解決手段】庇パネル１の両側縁部にそれぞれ溝付枠材２，２を設けるとともに、前記建物の壁面側に前記庇パネル１の建物側端部を嵌合させるためのパネル嵌合部Ｍ６が形成された水平枠材１２を設けておき、前記庇パネル１の建物側端部を前記水平枠材１２のパネル嵌合部Ｍ６に嵌合させて設置するとともに、前記庇パネル１を水平方向に並べて設置したパネル境界部において、隣接する庇パネル１，１の溝付枠材２，２にそれぞれ端部を係合させた連結軸部材５を設けるとともに、この連結軸部材５に下端が連結された吊材４の上端を建物壁面部に連結固定する。【選択図】図１
2005314924.tif 000002
【特許請求の範囲】
【請求項１】
庇パネルを建物の壁面に支持させて取り付けるようにした庇の取付け構造であって、
前記庇パネルの両側縁部にそれぞれ溝付枠材を設けるとともに、前記建物の壁面側に前記庇パネルの建物側端部を嵌合させるためのパネル嵌合部が形成された水平枠材を設けておき、
前記庇パネルの建物側端部を前記水平枠材のパネル嵌合部に嵌合させて設置するとともに、前記庇パネルを水平方向に並べて設置したパネル境界部において、隣接する庇パネルの溝付枠材にそれぞれ端部を係合させた連結軸部材を設けるとともに、この連結軸部材に下端が連結された吊材の上端を建物壁面部に連結したことを特徴とする庇の取付け構造。
【請求項２】
前記連結軸部材と吊材の下端とは、直接的、または板状部材を介して間接的に連結されている請求項１記載の庇の取付け構造。
【請求項３】
前記吊材は所定範囲で伸縮調整自在とされる請求項１、２いずれかに記載の庇の取付け構造。
【請求項４】
前記連結軸部材の先端部は軸部よりも大きくし、前記溝付枠材の溝部に前記先端部を嵌入させてある請求項１〜３いずれかに記載の庇の取付け構造。
【請求項５】
前記庇パネルの建物側端部に第２の溝付枠材を設けるとともに、この第２の溝付枠材の溝部に頭部を嵌合させた締結ボルトを所要数取り付けておき、前記庇パネルの建物側端部を前記水平枠材のパネル嵌合部に嵌合させて設置した状態で、前記締結ボルトを前記水平枠材にナット締結してある請求項１〜４いずれかに記載の庇の取付け構造。
【請求項６】
前記吊材の配設位置に対応する建物壁面には、外部に縦方向溝を臨ませた鉛直配向部材が配設され、前記縦方向溝に嵌合させた第２の連結軸部材と、前記吊材の上端とが連結されている請求項１〜５いずれかに記載の庇の取付け構造。
【請求項７】
水平方向に並べて設置された庇パネルの内、端部に設置される端部庇パネルは、該端部庇パネルの外側側縁部位置に存在する建物躯体又は別途設置された支持部材に、先端部分が前記溝付枠材の溝部に係合可能とされるとともに、出没方向に出入り調整可能とされる軸状支持具を１又は水平方向に間隔を空けて複数設けておき、
前記端部庇パネルを、室外側から該端部庇パネルの一方側溝付枠材に前記軸状支持具の先端部を係合させるとともに、他方側の溝付枠材に前記連結軸部材の先端部を係合させながら建物側に差込んで取り付けた請求項１〜６いずれかに記載の庇の取付け構造。
【請求項８】
前記軸状支持具の先端部は軸部よりも大きくし、前記溝付枠材の溝部に前記先端部を嵌入させてある請求項７記載の庇の取付け構造。
【請求項９】
前記支持部材は、仕上げパネル、柱部材、片持ち梁状のブラケットのいずれかとし、これら支持部材に貫通状態で前記軸状支持具を設けてある請求項７〜８いずれかに記載の庇の取付け構造。
【請求項１０】
前記軸状支持具を建物躯体に設ける場合は、該躯体に後付け雌ネジアンカーを埋設し、軸状支持具のネジ部を螺入させ設置してある請求項７〜８いずれかに記載の庇の取付け構造。
【発明の詳細な説明】
【技術分野】
【０００１】
本発明は、ビル等において、庇パネルを建物の壁面に支持させて取り付けるようにした庇の取付け構造に関する。
【背景技術】
【０００２】
従来より、ビル等においては、庇ユニット又は庇パネルを建物本体へ取付けることが行われているが、この庇ユニット等の取付けは、庇ユニットをクレーン等で吊り上げたり、複数の作業者によって差し上げして位置決めを行い、その状態で作業者が庇ユニット等を建物本体の柱や梁等の構造体にボルト等によって接合していた。
【０００３】
しかしながら、前記庇ユニット等が大型でかつ重量がある場合には、クレーン等で吊り上げたり、作業者が差し上げしたりした状態で正確に位置決めすることが困難であるとともに、施工性が非常に悪いという問題があった。
【０００４】
そこで、下記特許文献１においては、庇ユニットの位置決めが簡単にでき、取付け施工を少人数で容易に行えるように、建物本体より突設させて設けた複数本の片持ち梁に、庇ユニットをその背面開放部側から差込み、庇ユニットに内蔵された複数本の支持フレームの両端部を片持ち梁の上下フランジ間に挿入して建物本体方向にスライドさせ、庇ユニットが建物本体に略当接した位置で、片持ち梁の下フランジと支持フレームの両端部を庇ユニットの下面開放部より接合して庇ユニットを建物本体に取付けるようにした庇施工方法が開示されている。
【特許文献１】特開２０００−１７７６５号公報
【発明の開示】
【発明が解決しようとする課題】
【０００５】
しかしながら、上記特許文献１の庇施工方法は、片持ち梁構造の支持フレームに庇ユニットの重量を支持させる構造であり、庇ユニットが大型化した場合には支持強度に不安が残る。また、予め壁面に支持フレームを取り付けておくことにより、庇ユニットの設置が容易になるものの、調整代を確保しずらい構造であるため、精度誤差などにより庇ユニットを支持フレームに挿入できない、或いはボルト孔にズレが生じているため、ボルトを取り付けることができないなどの問題が生じることがあった。
【０００６】
一方で、ビル等の壁面が凹状に構成されている部位などにおいて、両側壁面及び奥側壁面の３辺を支持面として庇パネルを取り付け、屋根や庇として利用することがある。
【０００７】
この場合の支持構造は、両側壁面及び奥側壁面のそれぞれに溝付の支持枠を固定し、これら両側壁に固定した支持枠の溝部に庇パネルの両側縁を嵌合させ、建物側に差込み固定することが多い。この支持構造の場合は、庇パネルが大型化しても庇パネルの３辺を夫々支持する構造であるため支持強度に問題はないものの、両側壁面の間隔が大きい場合には中間部において十分な支持強度を確保することができない。また、支持枠の位置調整が難しく、庇パネルが挿入不能であったりすることがあるとともに、前記両側壁面に固定した支持枠が、外部から見えるため見栄えやデザイン性が悪くなるなどの問題があった。
【０００８】
そこで本発明の主たる課題は、庇パネルを建物の壁面に支持させて取り付けるようにした庇の取付け構造において、十分な支持強度が確保できるとともに、精度誤差等による問題を解消して設置を容易化し、かつ庇パネルの両側縁部を支持する構造部分を極力露出させないようにすることでデザイン性を向上させること等にある。
【０００９】
第２に、端部庇パネルにおいて、躯体精度等に拘わらず調整代を十分に確保でき、かつ調整手間が少なくて済むようにした庇の取付け構造を提供すること等にある。
【課題を解決するための手段】
【００１０】
前記課題を解決するために請求項１に係る本発明として、庇パネルを建物の壁面に支持させて取り付けるようにした庇の取付け構造であって、
前記庇パネルの両側縁部にそれぞれ溝付枠材を設けるとともに、前記建物の壁面側に前記庇パネルの建物側端部を嵌合させるためのパネル嵌合部が形成された水平枠材を設けておき、
前記庇パネルの建物側端部を前記水平枠材のパネル嵌合部に嵌合させて設置するとともに、前記庇パネルを水平方向に並べて設置したパネル境界部において、隣接する庇パネルの溝付枠材にそれぞれ端部を係合させた連結軸部材を設けるとともに、この連結軸部材に下端が連結された吊材の上端を建物壁面部に連結したことを特徴とする庇の取付け構造が提供される。
【００１１】
上記請求項１記載の本発明においては、庇パネルの両側縁部にそれぞれ溝付枠材を設けるとともに、前記建物の壁面側に前記庇パネルの建物側端部を嵌合させるためのパネル嵌合部が形成された水平枠材を設けておく。そして、各庇パネルの建物側端部を前記水平枠材のパネル嵌合部に嵌合させて設置するとともに、庇パネルの隣接境界においては、隣接する庇パネルの溝付枠材にそれぞれ端部を係合させた連結軸部材を設けるとともに、この連結軸部材に下端が連結された吊材の上端を前記建物壁面側に連結した構造としてある。
【００１２】
従って、各庇パネルが前記吊材によって両側が吊持されることにより、パネルが大型化しても十分な支持強度を確保することができる。また、前記吊材と庇パネルとの連結部は、対面する溝付枠材同士にそれぞれ端部を係合させた連結軸部材を配設し、これに前記吊材の下端を連結するようにしてあるため、支持する構造部分を極力露出させないようにすることができ、デザイン性を向上させることができるようになる。更に、前記連結軸部材は溝付枠材の溝に沿って移動可能であるため、従来のように、庇ユニットを支持フレームに挿入できない、或いはボルト孔にズレが生じているため、ボルトを取り付けることができないなどの各種問題を解消することができるとともに、調整代を十分に確保できるようになり、調整手間も少なくて済むようになる。
【００１３】
請求項２に係る本発明として、前記連結軸部材と吊材の下端とは、直接的、または板状部材を介して間接的に連結されている請求項１記載の庇の取付け構造が提供される。
【００１４】
上記請求項２記載の本発明においては、前記連結軸部材と吊材の下端との連結構造に関して、連結軸部材と吊材の下端とを直接的に連結する以外に、板状部材を介して間接的に連結するものである。吊材の下端を庇パネル間に挿入して前記連結軸部材と連結する場合には、庇パネル間に吊材幅の間隙が形成されることになるが、板状部材を介して間接的に連結する場合には、庇パネル間の間隙をほぼ板状部材の板幅まで縮小できるようになる。
【００１５】
請求項３に係る本発明として、前記吊材は所定範囲で伸縮調整自在とされる請求項１、２いずれかに記載の庇の取付け構造が提供される。庇パネルの若干の傾斜調整や吊材の応力調整のために、吊材は所定範囲で伸縮調整自在とするのが望ましい。具体的な調整構造としては、後述するように、ターンバックル構造とするのが望ましい。
【００１６】
請求項４に係る本発明として、前記連結軸部材の先端部は軸部よりも大きくし、前記溝付枠材の溝部に前記先端部を嵌入させてある請求項１〜３いずれかに記載の庇の取付け構造が提供される。
【００１７】
上記請求項４記載の本発明においては、前記連結軸部材の先端部は軸部よりも大径の係合部、例えば六角形状又は矩形の頭部形状とし、この頭部を溝付枠材の溝部に嵌合させるようにしたため、連結軸部材と庇パネルとの係合が確実に図れるため、抜け落ちることが無くなる。
【００１８】
請求項５に係る本発明として、前記庇パネルの建物側端部に第２の溝付枠材を設けるとともに、この第２の溝付枠材の溝部に頭部を嵌合させた締結ボルトを所要数取り付けておき、前記庇パネルの建物側端部を前記水平枠材のパネル嵌合部に嵌合させて設置した状態で、前記締結ボルトを前記水平枠材にナット締結してある請求項１〜４いずれかに記載の庇の取付け構造が提供される。
【００１９】
上記請求項５記載の本発明においては、前記庇パネルの建物側端部に第２の溝付枠材を設け、この第２溝付枠材の溝部に頭部を嵌合させた締結ボルトを取り付けておき、庇パネルの両側縁に設けられた溝付枠材に軸状支持具の先端部を係合させながら建物側に庇パネルを差し込んで設置した状態で、室内側から前記締結ボルトを前記水平枠材にナット締結するようにした。これにより確実に庇パネルの脱落防止が図れるようになる。
【００２０】
請求項６に係る本発明として、前記吊材の配設位置に対応する建物壁面には、外部に縦方向溝を臨ませた鉛直配向部材が配設され、前記縦方向溝に嵌合させた第２の連結軸部材と、前記吊材の上端とが連結されている請求項１〜５いずれかに記載の庇の取付け構造が提供される。
【００２１】
上記請求項６記載の本発明においては、吊材の配設位置に対応する建物壁面に、外部に縦方向溝を臨ませた鉛直配向部材、具体的には方立或いは別途追加した形材などを配設し、前記縦方向溝に嵌合させた第２の連結軸部材と、前記吊材の上端とを連結するようにした。前記第２連結軸部材は、前記鉛直配向部材に沿って移動自在であり、吊材の上端の固定位置が任意に調整可能となり、デザインの自由度が向上するようになる。
【００２２】
請求項７に係る本発明として、水平方向に並べて設置された庇パネルの内、端部に設置される端部庇パネルは、該端部庇パネルの外側側縁部位置に存在する建物躯体又は別途設置された支持部材に、先端部分が前記溝付枠材の溝部に係合可能とされるとともに、出没方向に出入り調整可能とされる軸状支持具を１又は水平方向に間隔を空けて複数設けておき、
前記端部庇パネルを、室外側から該端部庇パネルの一方側溝付枠材に前記軸状支持具の先端部を係合させるとともに、他方側の溝付枠材に前記連結軸部材の先端部を係合させながら建物側に差込んで取り付けた請求項１〜６いずれかに記載の庇の取付け構造が提供される。
【００２３】
上記請求項７記載の本発明においては、端部庇パネルの支持を前記軸状支持具により行うようにしたため、庇パネルの両側縁部を支持する構造部分を極力露出させないようにすることができ、デザイン性を向上させることができるようになる。更には、前記軸状支持具は出没方向に出入り調整可能としたため、躯体精度に拘わらず調整代を十分に確保できるようになり、かつ調整手間も少なくて済むようになる。
【００２４】
請求項８に係る本発明として、前記軸状支持具の先端部は軸部よりも大きくし、前記溝付枠材の溝部に前記先端部を嵌入させてある請求項７記載の庇の取付け構造が提供される。
【００２５】
上記請求項８記載の本発明においては、前記軸状支持具の先端部は軸部よりも大径の係合部、例えば六角形状又は矩形の頭部形状とし、この頭部を溝付枠材の溝部に嵌合させるようにしたため、軸状支持具と庇パネルとの係合が確実に図れるため、抜け落ちることが無くなる。
【００２６】
請求項９に係る本発明として、前記支持部材は、仕上げパネル、柱部材、片持ち梁状のブラケットのいずれかとし、これら支持部材に貫通状態で前記軸状支持具を設けてある請求項７〜８いずれかに記載の庇の取付け構造が提供される。
【００２７】
上記請求項９記載の本発明においては、前記軸状支持具を支持する支持部材としては、例えば仕上げパネル、柱部材、片持ち梁状のブラケットのいずれかとし、これら支持部材に貫通状態で前記軸状支持具を設けるようにしてある。この場合、前記軸状支持具は、前記仕上げパネルを貫通させて設けたボルト状部材と、仕上げパネルの背面側において前記ボルト状部材に螺設したナット部材とすることができ、螺入量を調整することにより出没方向の出入り調整が成される。
【００２８】
請求項１０に係る本発明として、前記軸状支持具を建物躯体に設ける場合は、該躯体に後付け雌ネジアンカーを埋設し、軸状支持具のネジ部を螺入させ設置してある請求項１〜３いずれかに記載の庇の取付け構造が提供される。
【００２９】
上記請求項１０記載の本発明においては、前記軸状支持具を建物の躯体に設ける場合には、躯体に後付け雌ネジアンカー（ホールインアンカー等）を埋設した上で、この後付け雌ネジアンカーの雌ネジ孔に軸状支持具のネジ部を螺入させて設置することができる。この場合にも、螺入量を調整することにより軸状支持具の出入り調整が成される。
【発明の効果】
【００３０】
以上詳説のとおり本発明によれば、庇パネルを建物の壁面に支持させて取り付けるようにした庇の取付け構造において、十分な支持強度が確保できるとともに、精度誤差等による問題を解消して設置を容易化でき、かつ庇パネルの両側縁部を支持する構造部分を極力露出させないようにすることでデザイン性を向上させることができる。
【００３１】
また、端部庇パネルにおいては、躯体精度等に拘わらず調整代を十分に確保でき、かつ調整手間が少なくて済むようになる。
【発明を実施するための最良の形態】
【００３２】
以下、本発明の実施の形態について図面を参照しながら詳述する。
【００３３】
図１に示される庇の取付け構造は、中間部では庇パネル１の建物側端部を、建物壁面に予め設けてある水平枠材１２に嵌合させて支持するとともに、庇パネル１の両側部を夫々吊材４により吊持するようにし、端部では建物側端部を、前記水平枠材１２に嵌合させて支持するとともに、庇パネル１’の一方側側部を吊材４により吊持する一方、他方側側部を建物の側壁面に設けた軸状支持具２２、２２により支持するようにしたものである。以下、中間部庇パネル１と、端部庇パネル１’とに分けて具体的に詳述する。
【００３４】
〔中間部庇パネルの取付け構造〕
図２は中間部の庇パネル１の取付け要領を示す要部斜視図、図３は庇パネル１の両側縁部に設けられる溝付枠材２の斜視図、図４は庇パネル１の建物側端部に設けられる第２溝付枠材３の斜視図である。
【００３５】
前記庇パネル１の両側縁部にそれぞれ溝付枠材２，２を設けるとともに、前記建物壁面側に前記庇パネル１の建物側端部を嵌合させるためのパネル嵌合部Ｍ６が形成された水平枠材１２を設けておき、前記庇パネル１の建物側端部を前記水平枠材１２のパネル嵌合部Ｍ６に嵌合させて設置するとともに、前記庇パネル１を水平方向に並べて設置したパネル境界部において、隣接する庇パネル１，１の溝付枠材２，２にそれぞれ端部５Ｂを係合させた連結軸部材５を設けるとともに、この連結軸部材５に下端が連結された吊材４の上端を前記建物壁面側に連結した構造となっている。
【００３６】
以下、更に具体的に詳述する。
【００３７】
前記庇パネル１には、パネルの両側縁部に溝付枠材２、２が設けられるとともに、その建物側端部に第２溝付枠材３が設けられる。
【００３８】
前記溝付枠材２は、詳細には図３に示されるように、略Ｈ断面形状を成す形材であり、ウエブ２ａを境に一方側に上フランジ２ｂ、下フランジ２ｃにより凹状のパネル呑込み溝Ｍ１が形成されるとともに、他方側に前記上フランジ２ｂ及び下フランジ２ｃの側端部が夫々Ｌ字状に屈曲することにより部材長手方向に沿って、後述する連結軸部材５の端部５Ｂが嵌合される嵌合溝Ｍ２が形成されている。庇パネル１への取付けは、前記パネル呑込み溝Ｍ１内に庇パネル１の側縁部を嵌合させ一体的に取り付けられる。なお、前記嵌合溝Ｍ２の内部においては、前記上フランジ２ｂの内面及び下フランジ２ｃの内面に夫々突片２ｄ、２ｅが設けられることにより空間が区画され、連結軸部材５の端部５Ｂがガタ付かないよう保持されるようになっている。
【００３９】
前記第２溝付枠材３は、詳細には図４に示されるように、ウエブ３ａ、上フランジ３ｂ、下フランジ３ｃによりコ字状断面を成し、パネル呑込み溝Ｍ３が形成されるとともに、ウエブ３ａの背面側にＬ字状リップ片３ｄ、３ｅを対向配置することによりボルト頭部の嵌合溝Ｍ４が形成された形材である。庇パネル１への取付けは、前記パネル呑込み溝Ｍ３内に庇パネル１の奥側縁部を嵌合させ一体的に取り付けられる。なお、前記パネル呑込み溝Ｍ３の上面、奥面及び下面の３辺に亘り、水密性を確保するために断面コ字状の固形シール材２０が嵌設されている。
【００４０】
前記吊材４は、図５に示されるように、雌ネジ中空管４Ａと、この雌ネジ中空管４Ａの両端部に夫々螺設される連結具４Ｂ、４Ｂとから構成されている。前記連結具４Ｂは、水平方向に貫通孔４ｃが形成された連結具本体４ａの基端部にネジ軸４ｂを備えた部材であり、前記雄ネジ中空管４Ａの端部にネジ軸４ｂが螺入されることにより組み立てられる。取付け状態では、前記雌ネジ中空管４Ａを軸芯回りに回転させることにより、所謂ターンバックル方式により前記ネジ軸４ｂの長さ範囲内で吊材４の長さが伸縮調整自在となっている。
【００４１】
前記吊材４の両端にはそれぞれ、図２に示されるように、連結軸部材５，７が設けられる。代表的に連結軸部材５について説明すると、同部材は、図６に示されるように、軸部５Ａと、両側に螺設されるワッシャー付ナット５Ｂ、５Ｂとからなる部材であり、図示されるように、軸部５Ａを前記連結具４Ｂの貫通孔４ｃに挿通させた後、両側に前記ワッシャー付ナット５Ｂ、５Ｂ（端部）を螺設して組み立てられる。吊材４の下端側に設けられる連結軸部材５は、隣接する庇パネル１，１の境界部において、溝付枠材２，２に前記ワッシャー付ナット５Ｂ、５Ｂが夫々嵌合され、吊材４の上端側に設けられる連結軸部材７は、後述の鉛直配向部材９に形成された挿入溝Ｍ５に対して前記ワッシャー付ナット５Ｂ、５Ｂが夫々嵌入され、庇パネル１，１が吊持される。
【００４２】
一方、前記庇パネル１，１の境界部（前記吊材４配設位置）に対応する建物壁面には、外部に縦方向溝を臨ませた鉛直配向部材９が配設されている。この鉛直配向部材９は、図示例では方立１０の室外面側に一体的に固定された方形状形材とされ、室外面側に断面Ｌ字状のリップ片９ａ、９ａを対向させて設けることにより、吊材４の上端に連結される連結軸部材７の挿入溝Ｍ５が形成されている。
【００４３】
また、前記建物の壁面側には、図１に示されるように、前記庇パネル１の奥端部を嵌合させるためのパネル嵌合部Ｍ６が形成された水平枠材１２が設置されている。なお、図１にも示されるように、前記水平枠材１２の隣接位置には、前記パネル嵌合部Ｍ６の上部側に配置される壁面パネルＰ１の下縁を支持するパネル支持枠１４が設けられるとともに、前記パネル嵌合部Ｍ６の下部側に配置される壁面パネルＰ２の上縁を支持するパネル支持枠１５が設けられている。
【００４４】
前記庇パネル１を建物壁面に取付けるに当たっては、庇パネル１の第２溝付枠材３の嵌合溝Ｍ４に頭部を嵌合させた締結ボルト１３，１３を所要数だけ、図示例では３個の締結ボルト１３，１３…を取り付けておくとともに、隣接する一方側には既に設置済みの庇パネル１が存在しているとすれば、他方側位置に吊材４を取り付けておく。前記吊材４は、上端側に設けられた連結軸部材７を鉛直配向部材９の溝部Ｍ５に挿入し取り付けられる。
【００４５】
そして、図２に示されるように、室外側から、前記庇パネル１の一方側側縁部に設けられた溝付枠材２に既設庇パネル１を吊持している連結軸部材５の端部５Ｂを嵌入させるとともに、他方側側縁部に設けられた溝付枠材２に、直前に取付けた前記吊材４の連結軸部材５の端部５Ｂを嵌入させ、そのまま建物側に差し込んで設置する。この際、前記連結軸部材５以外の箇所で前記溝付枠材２，２同士を結合するために、同図に示されるように、溝付枠材２，２間に横架させるように連結軸部材６，６を配設するのが望ましい。なお、前記連結軸部材６は前記連結軸部材５と同構造の部材であり、所定位置に位置決めしたならば、軸部材６を軸芯回りに回転させることによって溝付枠材２，２を引寄せ位置固定が成される。
【００４６】
図１に示されるように、庇パネル１の奥端部を水平枠材１２のパネル嵌合部Ｍ６に嵌入させるまで差し込んだならば、第２溝付枠材３に取り付けてある前記締結ボルト１３，１３…を水平枠材１２にナットにより締結するようにする。
【００４７】
具体的には、図７(A)に示されるように、水平枠材１２の中間締結部においては、水平枠材１２の裏面側に予め開口１２ａを形成しておき、前記締結ボルト１３のネジ部を水平枠材１２の隔壁孔１２ｂを貫通させた状態とした後、室内側から前記開口１２ａからワッシャー１６、ナット１７を締結ボルト１３に設置し堅固に締結する。なお、図７(B)に示されるように、端部締結部においては、水平枠材１２の小口からワッシャー１６、ナット１７を締結ボルト１３に設置し締結する。
【００４８】
さらに、前記吊材４の上端では、固定点位置が決定したならば、上端側連結具４Ｂに対して外側から固定ビス８，８を螺入させて固定を図るようにする。
【００４９】
〔端部庇パネルの取付け構造〕
次いで、端部庇パネル１’の取付け構造について図８〜図１０に基づいて詳述する。
【００５０】
端部の庇パネル１’においても中間部庇パネル１と同様に、その両側縁部に溝付枠材２、２が設けられるとともに、その建物側端部に第２溝付枠材３が設けられ、建物の凹状空間を形成している両側壁面には、躯体の外面に仕上げパネル２１が貼設される。この仕上げパネル２１には、庇パネル１’の設置位置に対応して、水平方向に間隔を空けて複数の、図示例では２本の軸状支持具２２，２２が設けられている。
【００５１】
前記軸状支持具２２は、図９に示されるように、主に仕上げパネル２１を貫通して設けられたボルト状部材とナット部材からなる部材であり、仕上げパネル２１に貫通孔を形成したならば、この貫通孔部分にスペーサとして筒状体２３を埋設し、建物の凹状空間側から頭部を有するボルト状部材２４を挿通し、仕上げパネル２１の背面側においてワッシャー２５を通し、ナット部材２６を螺設し取り付けられている。なお、図示例では出入り調整後の固定のために、前記ナット部材２６の外周から回り止めビス２７を螺入させるようになっている。
【００５２】
前記ボルト状部材２４は、相対的に大径の頭部２４ａ（先端部）を有し（図示例ではワッシャーをも備える。）、前記ナット部材２６に対する螺入量を調整することにより仕上げパネル２１からの突出量が調整自在となっており、予め前記突出量を調整した上で、仕上げパネル２１が建物躯体の外面に貼設される。なお、本例では前記ボルト状部材２４の頭部２４ａを六角形状としたが、締結ボルト１３と同様に矩形状としてもよい。
【００５３】
ところで、前記仕上げパネル２１を有さず、建物躯体に直接、軸状支持具２２を設けることもできる。この場合には、図１０に示されるように、躯体にホールインアンカー２８（後付け雌ネジアンカー）を埋設しておき、このホールインアンカー２８の雌ネジ孔に、前記ボルト状部材２４のネジ部を螺入し取り付けるようにすればよい。この場合も、前記ボルト状部材２４の出入り調整は螺入量を調整することにより成される。
【００５４】
前記庇パネル１を取付けるに当たっては、庇パネル１の第２溝付枠材３の嵌合溝Ｍ４に頭部を嵌合させた締結ボルト１３，１３を所要数だけ、図示例では３個の締結ボルト１３，１３…を取り付けておき、室外側から、前記庇パネル１’の一方側の溝付枠材２に前記軸状支持具２２の先端部２４ａを係合させるとともに、他方側の溝付枠材２に前記連結軸部材５の先端部５Ｂを係合させながら建物側に差込んで設置する。
【００５５】
後は、中間部庇パネル１と同様に、庇パネル１’の奥端部を水平枠材１２のパネル嵌合部Ｍ６に嵌入させるまで差し込んだならば、第２溝付枠材３に取り付けてある前記締結ボルト１３，１３…を水平枠材１２にナットにより締結するようにする。
【００５６】
〔他の形態例〕
(1)上記吊材４は、上端側の連結軸部材７が鉛直配向部材９の嵌合溝Ｍ５に沿って移動可能であり、かつ下端側の連結軸部材５が溝付枠材２の嵌合溝Ｍ２に沿って移動可能であるため、図１１に示されるように、設置傾斜角度は任意に調節することが可能である。
(2)上記形態例においては、吊材４の下端に設けられた連結具４Ｂが庇パネル１，１間に挿入されることになり、隣接する庇パネル１，１間に連結具相当幅の間隙が形成されるようになるが、図１２及び図１３に示されるように、連結軸部材５との連結具４Ｂとの連結を、板状部材３０を介して間接的に行うようにすれば、庇パネル１，１間の間隙は前記板状部材３０のほぼ板厚まで縮小できるようになる。
(3)上記形態例において、仕上げパネル２１には庇パネル１’の設置位置に対応して、水平方向に間隔を空けて２本の軸状支持具２２，２２を設けるようにしたが、前記軸状支持具２２は３以上設けるようにしてもよいし、場合によっては１本のみとしてもよい。
(4)上記形態例においては、前記軸状支持具２２は大径の頭部を有するボルト状部材２４としたが、頭部を有しない同径の連結軸部材としてもよい。
(5)上記形態例においては、庇パネル１の建物側端部に第２溝付枠材３を設け、この第２溝付枠材３の溝部に頭部を嵌合させて締結ボルト１３を所要数だけ取り付けておき、庇パネル１を設置した状態で、前記締結ボルト１３を前記水平枠材１２にナット締結するようにしたが、前記第２溝付枠材３及び締結ボルト１３を省略し、水平枠材１２に庇パネル１の建物側端部を嵌合させた状態で、水平枠材１２及び庇パネル１の建物側端部を共に貫通するように設けた締結ボルトによって固定するようにしてもよい。
(6)上記〔端部庇パネルの取付け構造〕の形態例では、建物の凹状空間部分において、該凹状空間を構成している両側壁面及び奥側壁面の３辺に、庇パネル１を支持させ取り付けるようにしたが、建物壁面は一般的な鉛直壁面であってもよい。この場合には、前記軸状支持具５、５を支持するための支持部材を別途設置するようにする。具体的には、前記仕上げパネル２１を別途設置してもよいし、図１４に示されるように、前記軸状支持具５，５を支持するために柱部材２１Ａ、２１Ａを別途設置するようにしてもよいし、図１５に示されるように、建物側から片持ち梁状のブラケット２１Ｂを別途設置するようにしてもよい。
【図面の簡単な説明】
【００５７】
【図１】本発明に係る庇の取付け構造を示す要部斜視図である。
【図２】中間部庇パネル１の取付け要領を示す斜視図である。
【図３】庇パネル１の両側縁部に設けられる溝付枠材２の斜視図である。
【図４】庇パネル１の建物側端部に設けられる第２溝付枠材３の斜視図である。
【図５】吊材４の分解図である。
【図６】吊材４の下端と連結軸部材５との結合構造を示す分解図である。
【図７】庇パネル１と水平枠材１２との締結要領を示す図であり、(A)は中間締結部を示し、(B)は端部締結部を示す図である。
【図８】端部庇パネル１’の取付け要領を示す斜視図である。
【図９】仕上げパネル２１に設けられる軸状支持具２２の取付け要領を示す斜視図である。
【図１０】躯体に軸状支持具５を設ける場合の縦断面図である。
【図１１】吊材４の設置傾斜角度を変更した場合の変形例図である。
【図１２】吊材下端と連結軸部材とを板状部材３０を介して連結した場合の庇取付け状態斜視図である。
【図１３】吊材下端と連結軸部材５とを板状部材３０を介して連結する場合の結合構造を示す分解図である。
【図１４】前記軸状支持具５を柱部材２１Ａによって支持した場合の庇の取付け要領を示す斜視図である。
【図１５】前記軸状支持具５をブラケット２１Ｂによって支持した場合の庇の取付け要領を示す斜視図である。
【符号の説明】
【００５８】
１…庇パネル、２…溝付枠材、３…第２溝付枠材、４…吊材、４Ａ…雌ネジ中空管、４Ｂ…連結具、５・６・７…連結軸部材、９…鉛直配向部材、１０…方立、１２…水平枠材、１３…締結ボルト、２１…仕上げパネル、２１Ａ…柱部材、２１Ｂ…ブラケット、２２…軸状支持具、２３…筒状体（スペーサ）、２４…ボルト状部材、２４ａ…頭部、２５…ワッシャー、２６…ナット部材、２８…ホールインアンカー（後付け雌ネジアンカー）
【図１】
2005314924.tif 000003
【図２】
2005314924.tif 000004
【図３】
2005314924.tif 000005
【図４】
2005314924.tif 000006
【図５】
2005314924.tif 000007
【図６】
2005314924.tif 000008
【図７】
2005314924.tif 000009
【図８】
2005314924.tif 000010
【図９】
2005314924.tif 000011
【図１０】
2005314924.tif 000012
【図１１】
2005314924.tif 000013
【図１２】
2005314924.tif 000014
【図１３】
2005314924.tif 000015
【図１４】
2005314924.tif 000016
【図１５】
2005314924.tif 000017